(57)【特許請求の範囲】
【請求項１】
通信機器の筐体に設けられた光受信端子であって、当該光受信端子と光ケーブルとを接続するためのコネクタが装着された光受信端子の取り付け構造であって、
前記通信機器の筐体の側面のうち、前記光受信端子が取り付けられる側の側面は、相互に連続性を保持する第１側面と前記光受信端子が取り付けられている第２側面とを有し、
前記第１側面の全体を、前記光受信端子が取り付けられる側の側面以外の他の部分に対して連続性を保持しながら、前記コネクタの挿抜方向に対して非直交な面として形成し、
前記第２側面の全体を、前記光受信端子が取り付けられる側の側面以外の他の部分に対して連続性を保持しながら、前記コネクタの挿抜方向に対して略直交すると共に、当該第２側面において相互に対向する一対の端部のうち、一方の端部が他方の端部よりも前記通信機器の筐体の内側寄りに位置するような傾斜面として形成した、
光受信端子の取り付け構造。
【請求項２】
通信機器の筐体に設けられた光受信端子であって、当該光受信端子と光ケーブルとを接続するためのコネクタが装着された光受信端子の取り付け構造であって、
前記通信機器の筐体の側面のうち、前記光受信端子が取り付けられる側の側面全体を、前記コネクタの挿抜方向に対して略直交すると共に、当該側面において相互に対向する一対の端部のうち、一方の端部が他方の端部よりも前記通信機器の筐体の内側寄りに位置するような傾斜面として形成した、
光受信端子の取り付け構造。
【請求項３】
前記通信機器の筐体の内部には基板を収容し、
前記通信機器の筐体は、前記基板に平行な２つの側面と、これら２つの側面の各々に直交する１つの側面と、当該１つの側面に対して前記基板を挟んで対向する側面であって前記光受信端子が取り付けられる側面とを有し、
前記基板に平行な２つの側面のうち、一方の側面は他方の側面に対して広幅であり、当該広幅の側面側から、前記基板を前記通信機器の筐体の内部に収容可能とした、
請求項１又は２に記載の光受信端子の取り付け構造。
【発明の詳細な説明】
【技術分野】
【０００１】
本発明は、光受信端子の取り付け構造に関する。
【背景技術】
【０００２】
現在、光ケーブルを使った家庭向けのデータ通信サービスであるＦＴＴＨ（Ｆｉｂｅｒ  Ｔｏ  Ｔｈｅ  Ｈｏｍｅ）が一般家庭に普及しつつある。このＦＴＴＨにおいては、屋外に敷設された光ケーブルが、一般家屋等の屋外の壁面等に設置された光受信機（光回線終端装置：ＯＮＵ：Ｏｐｔｉｃａｌ  Ｎｅｔｗｏｒｋ  Ｕｎｉｔ）に引き込まれる。そして、光ケーブルを介して伝送された光信号が、光受信機により光電変換されて電気信号となり、この電気信号が同軸ケーブルを介してＴＶ受像機や情報通信機器に伝送される。
【０００３】
図７は、カバー部を開いた状態における従来の光受信機の斜視図である。この光受信機１００は、筐体１０１に、光信号を電気信号に変換するための光電変換ユニット１０２と、図示しない光ケーブルを収容するためのトレイ１０３と、光受信機１００に電力を供給するための電源装置１０４とを納めて構成されている。また、光電変換ユニット１０２のシャーシ１０２ａの上側面には、図示しない光ケーブルから光信号を受信するための光受信端子１０５が取り付けられている。
【０００４】
ここで、光受信端子１０５は、その先端部が基端部よりも図示手前側に向けられるように、傾斜状に取り付けられている。このように傾斜状に取り付ける目的は、光電変換ユニット１０２と隣接して配置されているトレイ１０３や電源装置１０４を取り外すことなく、光受信端子１０５に装着されたコネクタ１０５ａへの光ケーブルの挿し抜きを可能とするためである。このように光受信端子１０５を傾斜状に取り付けるために、シャーシ１０２ａの上側面のうち、光受信端子１０５が取り付けられる部分のみが、他の部分に対して、折り曲げられており、これらの相互間には切込みが形成されている（例えば、特許文献１参照）。
【先行技術文献】
【特許文献】
【０００５】
【特許文献１】特開２０１２−８２８９号公報
【発明の概要】
【発明が解決しようとする課題】
【０００６】
しかしながら、上記従来の光受信端子１０５の取り付け構造については、構造面に関して改善の余地があった。すなわち、シャーシ１０２ａの上側面に切り込みが形成されているので、光電変換ユニット１０２の内部で発生した高周波がこの隙間から漏洩することによって、光受信機１００周辺に設置されている電子機器に対して、ノイズや誤動作などの障害等を引き起こすおそれがあった。
【０００７】
本発明は、上記に鑑みてなされたものであって、光受信機の如き各種の通信機器に関して、光受信端子に装着されたコネクタに対する光ケーブルの装着性を低下させることなく、当該通信機器の内部で発生した高周波の漏洩を防止することができる、光受信端子の取り付け構造を提供することを目的とする。
【課題を解決するための手段】
【０００８】
上述した課題を解決し、目的を達成するために、請求項１に記載の光受信端子の取り付け構造は、通信機器の筐体に設けられた光受信端子であって、当該光受信端子と光ケーブルとを接続するためのコネクタが装着された光受信端子の取り付け構造であって、前記通信機器の筐体の側面のうち、前記光受信端子が取り付けられる側の側面は、相互に連続性を保持する第１側面と前記光受信端子が取り付けられている第２側面とを有し、前記第１側面の全体を、前記光受信端子が取り付けられる側の側面以外の他の部分に対して連続性を保持しながら、前記コネクタの挿抜方向に対して非直交な面として形成し、前記第２側面の全体を、前記光受信端子が取り付けられる側の側面以外の他の部分に対して連続性を保持しながら、前記コネクタの挿抜方向に対して略直交すると共に、当該第２側面において相互に対向する一対の端部のうち、一方の端部が他方の端部よりも前記通信機器の筐体の内側寄りに位置するような傾斜面として形成している。
【０００９】
また、請求項２に記載の光受信端子の取り付け構造は、通信機器の筐体に設けられた光受信端子であって、当該光受信端子と光ケーブルとを接続するためのコネクタが装着された光受信端子の取り付け構造であって、前記通信機器の筐体の側面のうち、前記光受信端子が取り付けられる側の側面全体を、前記コネクタの挿抜方向に対して略直交すると共に、当該側面において相互に対向する一対の端部のうち、一方の端部が他方の端部よりも前記通信機器の筐体の内側寄りに位置するような傾斜面として形成している。
【００１０】
また、請求項３に記載の光受信端子の取り付け構造は、請求項１又は２に記載の光受信端子の取り付け構造において、前記通信機器の筐体の内部には基板を収容し、前記通信機器の筐体は、前記基板に平行な２つの側面と、これら２つの側面の各々に直交する１つの側面と、当該１つの側面に対して前記基板を挟んで対向する側面であって前記光受信端子が取り付けられる側面とを有し、前記基板に平行な２つの側面のうち、一方の側面は他方の側面に対して広幅であり、当該広幅の側面側から、前記基板を前記通信機器の筐体の内部に収容可能としている。
【発明の効果】
【００１１】
請求項１に記載の光受信端子の取り付け構造によれば、光受信端子が取り付けられる側の側面における第２側面と、光受信端子が取り付けられる側の側面以外の他の部分との間に隙間が形成されないため、光受信端子に装着されたコネクタに対する光ケーブルの装着性を従来の構造と比べて低下させることなく、通信機器の筐体内部で発生した高周波が筐体から漏洩することを防止することができる。
【００１２】
また、請求項２に記載の光受信端子の取り付け構造によれば、通信機器の筐体の側面のうち、光受信端子が取り付けられる側の側面全体に切り込み等による隙間が形成されないため、通信機器の筐体内部で発生した高周波が筐体から漏洩することを一層防止することができる。
【００１３】
また、請求項３に記載の光受信端子の取り付け構造によれば、狭幅の側面側から基板を通信機器の筐体の内部に収容する場合に比べて、広幅の基板を収容することができるので、通信機器の筐体の内部空間を有効に活用することができる。
【図面の簡単な説明】
【００１４】
【図１】本実施の形態に係る光受信機を示す図であり、（ａ）は正面図、（ｂ）は底面図、（ｃ）は側面図である。
【図２】カバー部及びトレイを取り外した状態における光受信機の正面図である。
【図３】光電変換ユニットの分解斜視図である。
【図４】図３における領域Ａの拡大図である。
【図５】光電変換ユニットを示す図であり、（ａ）は正面図、（ｂ）は平面図、（ｃ）は側面図である。
【図６】図５のＢ−Ｂ矢視断面図である。
【図７】カバー部を開いた状態における従来の光受信機の斜視図である。
【発明を実施するための形態】
【００１５】
以下に添付図面を参照して、本発明に係る実施の形態を詳細に説明する。ただし、この実施の形態によって本発明が限定されるものではない。
【００１６】
（構成）
本実施の形態に係る光受信端子の取り付け構造の適用対象としては、光受信端子を取り付ける必要が生じ得る全ての通信機器が該当し、例えば、光受信機や光中継器等が挙げられる。以下では、光受信機に適用した場合を例として説明を行う。
【００１７】
図１は、本実施の形態に係る光受信機１を示す図であり、（ａ）は正面図、（ｂ）は底面図、（ｃ）は側面図である。図２は、カバー部及びトレイを取り外した状態における光受信機１の正面図である。なお、以下の説明においては、図１のＸ方向を左右方向（又は幅方向）、図１のＹ方向を上下方向（又は高さ方向）、図１のＺ方向を前後方向とする。光受信機１は、一般家屋等の屋外の壁面等に設置されて光通信網に接続される光回線終端装置である。図１、２に示すように、この光受信機１は、筐体１０の内部に、電源装置２０と、トレイ（図示省略）と、光電変換ユニット３０とを収容して構成されている。
【００１８】
（構成−筐体）
筐体１０は、光受信機１の構造体であり、電源装置２０、トレイ、及び光電変換ユニット３０を外部から保護する保護手段である。この筐体１０は、一側面を開放した略箱形状のベース部１１と、このベース部１１をその開放面側から略覆うカバー部１２とを備えて構成されており、カバー部１２はその上端部近傍位置においてベース部１１に対して回動自在に軸支されている。カバー部１２を閉じてベース部１１を略覆った状態において、これらベース部１１とカバー部１２との対向位置には一対の引き込み口１３が形成され、この引き込み口１３を介して、光ケーブル（図示省略）を筐体１０の内部に引込むことができ、あるいは、筐体１０の内部から外部に光ケーブルを引き出すことができる。また、引き込み口１３の側方には、一対の端子孔１４が形成されており、この端子孔１４を介して、光電変換ユニット３０の同軸コネクタ３７が筐体１０の外部に露出され、この同軸コネクタ３７に信号ケーブル（以下、同軸ケーブルと称する。図示省略）を接続することができる。
【００１９】
（構成−電源装置）
また、電源装置２０は、光受信機１に対する電力供給を行うもので、筐体１０の内部における光電変換ユニット３０の上方に形成された空間部に着脱自在に収容されており、電源コード２１を介して商用電源から取得したＡＣ電力を、ＤＣ電力に変換して、光電変換ユニット３０に供給する。
【００２０】
（構成−トレイ）
トレイは、屋外から光受信機１に引き込まれた光ケーブルを収容するための収容手段である。このトレイは、筐体１０の内部における光電変換ユニット３０の前方側に固定されるもので、光ケーブルを巻き付ける巻き付け部（図示省略）を有し、この巻き付け部に光ケーブルの余長部分を巻き付けることができる。なお、このトレイは、従来と同様に構成することができる。
【００２１】
（構成−光電変換ユニット）
図３は、光電変換ユニット３０の分解斜視図である。図４は、図３における領域Ａの拡大図である。図５は、光電変換ユニット３０を示す図であり、（ａ）は正面図、（ｂ）は平面図、（ｃ）は側面図である。図６は、図５のＢ−Ｂ矢視断面図である。光電変換ユニット３０は、光信号を光電変換して電気信号として出力するユニットである。この光電変換ユニット３０は、筐体３１の内部に回路基板３２を収容して構成されている。この筐体３１は、シャーシ３３、第１の蓋３４、及び第２の蓋３５を備えて構成されている。
【００２２】
（構成−光電変換ユニット−シャーシ）
シャーシ３３は、光電変換ユニット３０の基体である。具体的には、シャーシ３３は、ダイキャストにて形成された略直方体形状の中空体であり、回路基板３２に平行な前面（正面）及び後面（背面）と、これら前面及び後面の各々に直交する下面と、この下面に対して回路基板３２を挟んで対向する上面と、これら上面及び下面の各々に直交する左面と、この左面に対して回路基板３２を挟んで対向する右面とを有している。
【００２３】
このシャーシ３３の上面には、光受信端子３６が取り付けられている。この光受信端子３６は、屋外から光受信機１に引き込まれた光ケーブル（より具体的には、光ケーブルの光ファイバの先端に取り付けられた光出力端子）と、回路基板３２とを接続するための端子である。具体的には、図３〜図６に示すように、光受信端子３６は、シャーシ３３の上面のうち、後述する前方側の側面上に設けられた開口３３ａに挿入されており、シャーシ３３に対してねじ等によって接続されている。この光受信端子３６は、シャーシ側端部にＰＤ（Ｐｈｏｔｏ  Ｄｉｏｄｅ）３６ａが接続され、他端にコネクタ３６ｂを備えている。ＰＤ３６ａは、光信号を電気信号に変換する光電変換部品であり、シャーシ３３の内部に収容されており、回路基板３２に電気的に接続されている。コネクタ３６ｂは、ＰＤ３６ａと光ケーブルとを接続するためのコネクタであり、シャーシ３３から外部に露出されている。このコネクタ３６ｂの具体的な構成は任意であり、例えば公知のレセプタクルタイプのコネクタ等を用いることができる。このような構成により、光ケーブルからコネクタ３６ｂを介して受信した光信号をＰＤ３６ａによって電気信号に光電変換し、当該光電変換した電気信号を回路基板３２に出力することができる。
【００２４】
また、このシャーシ３３の下面には、同軸コネクタ３７が取り付けられている。同軸コネクタ３７は、回路基板３２と、光受信機１から屋内に引き込まれる同軸ケーブルとを接続するための端子である。具体的には、図３に示すように、同軸コネクタ３７は、シャーシ３３の下面に設けられた開口３３ｂに挿入されており、シャーシ３３に対して固定具等によって接続されている。このような構成により、電気信号を同軸コネクタ３７を介して同軸ケーブルに出力することができる。
【００２５】
（構成−光電変換ユニット−回路基板）
回路基板３２は、光受信機１の各種機能を実現するための電気回路（図示省略）が実装された基板である。具体的には、回路基板３２は、筐体３１の内部に収容され、シャーシ３３に対して固定具や嵌合構造等によって固定されている。この回路基板３２には、従来の光受信端子に用いられるものと同様の公知の電子部品が実装されていると共に、接地部材３２ａが実装されている（なお、接地部材３２ａは、回路基板３２における公知の電子部品が実装されている側の側面とは反対側の側面に実装されている）。接地部材３２ａは、回路基板３２のアースをとるために、回路基板３２と第１の蓋３４とを接続するための部材であり、例えば銅等の導電部材等にて形成されている。
【００２６】
（構成−光電変換ユニット−第１の蓋）
第１の蓋３４は、回路基板３２のアースをとるためのシールド材として機能するものであり、シャーシ３３の前端部を覆うためのカバー手段である。具体的には、第１の蓋３４は、鋼材等にて形成された板状体であり、シャーシ３３の前端部を略覆うように配置され、シャーシ３３に対してねじ等によって接続されている。この第１の蓋３４には、回路基板３２における接地部材３２ａが実装されている位置と対向する位置に、開口３４ａが設けられている。開口３４ａは、図５（ａ）に示すように、第１の蓋３４に接地部材３２ａを係合可能にするための開口である。
【００２７】
（構成−光電変換ユニット−第２の蓋）
第２の蓋３５は、シャーシ３３の後端部を覆うためのカバー手段である。具体的には、第２の蓋３５は、鋼材等にて形成された板状体であり、シャーシ３３の後端部を略覆うように配置され、シャーシ３３に対してねじ等によって接続されている。
【００２８】
（構成−コネクタの傾斜構造）
ここで、コネクタ３６ｂはシャーシ３３に対して傾斜するように取り付けられている。以下、この構造について説明する。
【００２９】
まず、シャーシ３３の上面は、光受信端子３６に装着されたコネクタ３６ｂに光ケーブルを容易に抜き挿しできると共に、シャーシ３３の内部で発生した高周波がシャーシ３３から漏洩することを防止できるように、形成されている。具体的には、図３〜図５に示すように、シャーシ３３の上面は、前方側の側面と後方側の側面を有し、これら２つの側面は相互に異なる向きとされている。より具体的には、図５（ｃ）に示すように、後方側の側面が、前面及び後面に対して直交する向きとされているのに対して、前方側の側面は、その側面全体が、コネクタ３６ｂの挿抜方向に対して略直交すると共に、前方側の側辺が後方側の側辺よりも下面に近づくように、後方側の側面に対して角度α（ここで、０°＜α＜９０°）で傾斜する傾斜面として形成されている。このように前方側の側面を全体として傾斜面としたので、当該前方側の側面には従来のような切り込みが形成されていない。従って、光電変換ユニット３０の内部で発生した高周波が外部に漏洩する可能性を低減することができる。
【００３０】
そして、この傾斜面である前方側の側面に、光受信端子３６が取り付けられている。具体的には、前方側の側面に対して光受信端子３６の軸心が直交する向きで、光受信端子３６が取り付けられている。このことにより、図５（ｃ）に示すように、光受信端子３６の軸心と、後方側の側面に対する直交面との相互の角度が、角度β（＝角度α）となっている。
【００３１】
ここで、このように光受信端子３６を角度βで傾斜状に配置しているため、図６に示すように、回路基板３２に対してＰＤ３６ａが傾斜状に固定されることとなる。このような傾斜状の固定を可能とするため、回路基板３２には、ＰＤ３６ａに対応する位置及び形状で開口３２ｂが設けられている。そして、この開口３２ｂにＰＤ３６ａの一部を挿通させた状態で、回路基板３２に対してＰＤ３６ａが固定されている。
【００３２】
（構成−回路基板の収容構造）
このように前方側の側面を傾斜面としたことに伴い、筐体３１に対する回路基板３２の収容構造についても、工夫が施されている。つまり、前方側の側面を傾斜面としたので、シャーシ３３の後面がシャーシ３３の前面に対して広幅となっている。このような構造において、回路基板３２をシャーシ３３の前面よりも広幅とした場合には、回路基板３２をシャーシ３３の前面を介して当該シャーシ３３の内部に収容することができない。その一方で、この問題を解消するために、回路基板３２をシャーシ３３の前面よりも狭幅とした場合には、回路基板３２の基板面積がその分だけ小さくなってしまい、シャーシ３３の内部空間を有効活用できない。これらのことから、本実施の形態では、図３〜図５に示すように、基板３２をシャーシ３３の前面よりも広幅とすると共に、回路基板３２をシャーシ３３の後面を介して当該シャーシ３３の内部に収容することとしている。より具体的には、図６に示すように、シャーシ３３の後面には、回路基板３２が通過可能となる幅の開口３３ｃを設け、この開口３３ｃを介して回路基板３２をシャーシ３３の内部に収容可能としている。
【００３３】
このようにシャーシ３３の後面から回路基板３２を収容することとしていることから、シャーシ３３の後面は開口３３ｃを含めて開放状の構造にする必要があるため、シャーシ３３の前面に、シャーシ３３の剛性を高める等のためのリブを配置している。このように、シャーシ３３の前面にリブを配置しているので、回路基板３２の両側面のうち、シャーシ３３の前面に対向する側面に、各種の電子部品を実装すると、当該リブと干渉する等の問題が生じ得る。また、回路基板３２に実装した電子部品に対する外部からのノイズの影響を低減するためには、電子部品の周囲の空間部を減らすことが好ましいが、回路基板３２の両側面のうち、シャーシ３３の前面に対向する側面に、各種の電子部品を実装すると、シャーシ３３の前面にはリブを配置しているため、第１の蓋３４と回路基板３２の電子部品との距離を調整することは困難であり、電子部品の周囲の空間部を減らすことが困難である。これらのことから、本実施の形態においては、回路基板３２の両側面のうち、シャーシ３３の後面に対向する側面に、各種の電子部品を実装している。このことにより、電子部品がリブと干渉することを防止できると共に、シャーシ３３の後面にはリブを配置していないため、第２の蓋３５と回路基板３２の電子部品との距離を調整することが比較的容易になり、電子部品の周囲の空間部を減らすことが比較的容易になるため、電子部品に対する外部からのノイズの影響を低減することができる。
【００３４】
（光電変換ユニットの組立方法）
次に、このように構成された光受信機１に関する光電変換ユニット３０の組立方法について説明する。最初に、シャーシ３３の上面のうち、シャーシ３３の前方側の側面に設けられた開口３３ａに光受信端子３６を挿入し、この光受信端子３６をシャーシ３３に対してねじ等で接続する。この場合において、コネクタ３６ｂがシャーシ３３の外部から露出されるように、光受信端子３６を配置する。次いで、シャーシ３３の下面に設けられた開口３３ｂに同軸コネクタ３７を挿入し、この同軸コネクタ３７をシャーシ３３に対して固定具等で接続する。
【００３５】
次に、電子部品が実装された回路基板３２を、シャーシ３３の後面に設けられた開口３３ｃを介して、シャーシ３３の内部に挿入する。この場合において、電子部品がシャーシ３３の前面に対向する向きとなるように、回路基板３２を挿入する。次いで、回路基板３２をシャーシ３３に対して固定具や嵌合構造等によって固定する。
【００３６】
このように回路基板３２を挿入及び固定した状態では、回路基板３２の開口３２ｂに、光受信端子３６のＰＤ３６ａの一部が挿通された状態となるので、このＰＤ３６ａを回路基板３２に対してハンダ付けにより接続する。次いで、同軸コネクタ３７を線路を介して回路基板３２に対してハンダ付けにより接続する。
【００３７】
続いて、第１の蓋３４をシャーシ３３の前端部を覆うように配置し、この第１の蓋３４をシャーシ３３に対してねじ等によって接続する。次いで、第１の蓋３４に設けられた開口３４ａから突出している接地部材３２ａを、この第１の蓋３４に対して係合させる。次いで、第２の蓋３５をシャーシ３３の後端部を覆うように配置し、この第２の蓋３５をシャーシ３３に対してねじ等によって接続する。これにて、図３〜図６に示す光電変換ユニット３０が組み立てられる。
【００３８】
（効果）
このように本実施の形態によれば、シャーシ３３の側面のうち、光受信端子３６が取り付けられる前方側の側面全体を、コネクタ３６ｂの挿抜方向に対して略直交すると共に、前方側の側辺が後方側の側辺よりも下面に近づくように、後方側の側面に対して角度αで傾斜する傾斜面として形成したので、当該光受信端子３６が取り付けられる前方側の側面全体に切り込み等による隙間が形成されないため、光受信端子３６に装着されたコネクタ３６ｂに対する光ケーブルの装着性を従来の構造と比べて低下させることなく、光電変換ユニット３０の内部で発生した高周波が筐体３１から漏洩することを防止することができる。
【００３９】
また、シャーシ３３は、回路基板３２に平行な前面及び後面と、これら前面及び後面の各々に直交する１つの下面と、この下面に対して回路基板３２を挟んで対向する側面であって光受信端子３６が取り付けられる上面とを有し、これら前面及び後面のうち、後面は他方の前面に対して広幅であり、この後面側から、回路基板３２をシャーシ３３の内部に収容可能としたので、前面側から回路基板３２をシャーシ３３の内部に収容する場合に比べて、広幅の回路基板３２を収容することができるので、シャーシ３３の内部空間を有効に活用することができる。
【００４０】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００４１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、通信機器の内部で発生した高周波の漏洩を完全に防止できない場合であっても、従来と同程度に高周波が漏洩し得る構造を、従来とは異なる技術にて構築できている限りにおいて、本願発明の課題が解決されている。
【００４２】
（シャーシの上面の構成ついて）
上記実施の形態では、シャーシ３３の上面のうち、シャーシ３３の前方側の側面のみが傾斜面として形成されていると説明したが、例えば、シャーシ３３の上面全体を傾斜面として形成してもよい。あるいは、これに限られず、例えば、シャーシ３３の前方側の側面のうち、光受信端子３６が取り付けられる側の側面の少なくとも一部（具体的には、上記シャーシ３３の前方側の側面における光受信端子３６との当接部分）を、光受信端子３６が取り付けられる側の側面の少なくとも一部以外の他の部分に対して連続性を保持しながら、コネクタ３６ｂの挿抜方向に対して略直交すると共に、前方側の側辺が後方側の側辺よりも下面に近づくように、後方側の側面に対して角度αで傾斜する傾斜面として形成してもよい。シャーシ３３の前方側の側面の一部のみを傾斜させる構造としては、例えば、当該一部のみを他の部分から折り曲げることで傾斜させる構造が考えられる。
【００４３】
また、上記実施の形態では、シャーシ３３の側面のうち、上面に、光受信端子３６を取り付けた例について説明したが、光受信端子３６に対してコネクタ３６ｂを挿抜可能となる限りにおいて、他の側面に光受信端子３６を取り付けてもよく、この場合には当該他の側面を傾斜面として形成してもよい。
【００４４】
（シャーシの前面の構成ついて）
本実施の形態では、シャーシ３３の後面がシャーシ３３の前面に対して広幅である場合に、開口３３ｃは、シャーシ３３の後面に設けられると説明したが、例えば、シャーシ３３の前面がシャーシ３３の後面に対して広幅である場合に、開口３３ｃは、シャーシ３３の前面に設けられてもよい。
【符号の説明】
【００４５】
１、１００  光受信機
１０、３１、１０１  筐体
１１  ベース部
１２  カバー部
１３  引き込み口
１４  端子孔
２０、１０４  電源装置
２１  電源コード
３０、１０２  光電変換ユニット
３２  回路基板
３２ａ  接地部材
３２ｂ、３３ａ、３３ｂ、３３ｃ、３４ａ  開口
３３、１０２ａ  シャーシ
３４  第１の蓋
３５  第２の蓋
３６、１０５  光受信端子
３６ａ  ＰＤ
３６ｂ、１０５ａ  コネクタ
３７  同軸コネクタ
１０３  トレイ
【図１】
0005886670.tif 000002
【図２】
0005886670.tif 000003
【図３】
0005886670.tif 000004
【図４】
0005886670.tif 000005
【図５】
0005886670.tif 000006
【図６】
0005886670.tif 000007
【図７】
0005886670.tif 000008